(57)【要約】【課題】  パチンコ台に取り付ける肘置き装置において、着脱可能に取り付けを行い、また遊技者に好適な高さに調節でき、さらに使用しないときにはパチンコ台のテーブル裏面にコンパクトに収納可能な肘置き装置を提供することである。【解決手段】  本発明に係る肘置き装置１は、遊技者の肘を置く肘置き部３と、この肘置き部を上下に高さ調節して固定可能な位置調節部２と、この位置調節部２を回動可能に軸支する支持部１１と、パチンコ台テーブルに着脱可能にコの字状又はＵ字状に形成されるパチンコ台装着部１０とを有し、支持部１１はＵ字状のパチンコ台装着部１０の下面に設置されることを特徴として有するものである。【選択図】  図１
2005080826.tif 000002
【特許請求の範囲】
【請求項１】
パチンコ台テーブルに取り付け可能な肘置き装置において、遊技者の肘を置く肘置き部と、この肘置き部を上下に高さ調節して固定可能な位置調節部と、この位置調節部を回動可能に軸支する支持部と、前記パチンコ台テーブルに着脱可能にコの字状又はＵ字状に形成される装着部とを有し、前記支持部は前記コの字状又はＵ字状の装着部の下面に設置されることを特徴とする肘置き装置
【請求項２】
前記支持部の底面に前記位置調節部を掛止可能な掛止部を備えることを特徴とする請求項１記載の肘置き装置。
【請求項３】
前記装着部に板バネを備えることを特徴とする請求項１および請求項２記載の肘置き装置。
【発明の詳細な説明】
【技術分野】
【０００１】
本発明は台に取り付けて用いる肘置き装置に関するものであり、特にはパチンコ台に取り付けて、パチンコ遊技者がパチンコを行う際に肘を置いて疲労を軽減させるための肘置き装置に関するものである。
【背景技術】
【０００２】
一般に、パチンコを行う際には、遊技者は椅子に座った姿勢で、片手でハンドルを握る。長時間この姿勢を取り続けると、首や肩、腕などが疲労する。そのために集中力が低下し、パチンコを十分に楽しめないという課題があった。
【０００３】
このような課題に対し、パチンコ遊技中に遊技者の疲労を軽減させるための肘置きに関する発明や考案が開示されている。
例えば、特許文献１には名称を「折り畳み可能なパチンコ用ひじ掛台」として、パチンコ台に取り付け可能なひじ掛台の考案が開示されている。
以下、図を参照してパチンコ台に取り付ける肘置きの従来例について説明する。
図７はパチンコ台用の肘置き装置の従来例を示す外形図である。折り畳み可能なパチンコ用ひじ掛台３０は、ひじ掛本体３５上のクッション４０に肘を乗せて使用するものである。また当該のひじ掛台はパチンコ台（図示せず）に、取付台３１をネジ等で固定させて設置するものである。取付台３１にはストッパーピン３６挿通させる孔が数箇所設けられている。支柱３２はこのストッパーピン３６に当接することで立設可能である。
また、支柱３２は溝３２ａを備え、可動筒３３を上下にスライド可能に係合する。可動筒３３は、端部に軸受金具３４を備えており、この軸受金具３４に設けられた固定ピン３８と上軸３９を介してひじ掛本体３５と連結される。可動筒３３を遊技者の肘を置くのに好適な位置に調整し、溝３２ａに嵌るようにネジ３７を螺合することで可動筒３３の位置が固定されるものである。
【０００４】
当該のひじ掛台は、「まず支柱３２を起こしてストッパーピン３６に当接させる。次にひじ掛本体３５の長穴３５ｂの先端が上軸３９に当接する状態で１８０度回転してひじ掛本体３５を倒立させる。その後、切り欠かれた係止部３５ａを固定ピン３８に沿って移動させながら水平になる迄回転する。このとき、ひじ掛本体３５は固定ピン３８で位置が決められる。また上軸３９は長穴３５ｂの後端側に来る。次にひじ掛本体３５を持ち上げて使い易い高さを決め、止めネジ３７を締付けて固定させる」という順に組み立て、使用するものである。
【０００５】
このように構成された折り畳み可能なパチンコ用ひじ掛台３０においては、クッション４０が座ぶとん状、あるいはエアークッション状のものであるので、遊技者の疲労を軽減させるという作用を有する。さらに可動筒３３が高さ調節可能であるので、遊技者の肘の位置に合わせることが可能である。
また、支柱３２および可動筒３３はパチンコ台方向に倒れ、その上部にひじ掛本体３５が置かれ、断面Ｚ字型に折り畳むことが可能である。遊技者が当該の折り畳み可能なパチンコ用ひじ掛台３０を使用しない場合には、このようにコンパクトに畳め、スペースを有効に活用することができるという利点を有する。
【０００６】
特許文献２には、名称を「パチンコ用ひじ掛台」として、高さ調節可能なひじ掛台に関する考案が開示されている。
当該のひじ掛台は、パチンコ台に釘やネジを用いて取付板を取り付けるものである。この取付板上には蝶番で接続された可動板を設けるものであり、この可動板上には中空の固定支柱が立設され、この内部にひじ掛板を上下に調節可能な波形のラックの付いた可動支柱が設けられている。この可動支柱を任意の位置に固定させるのが係止杆に連結した爪である。この爪を波形のラックに係合することで高さ調節を行う。
さらに、可動板は蝶番によって、遊技者の手前方向からパチンコ台のテーブル部分の裏側に向かって回動可能である。この状態においては、取付板と可動板は９０度の角度を成す。またこのとき、パチンコ台の底面部には係止具が設けられており、この固定具によって固定支柱が係止される。
【０００７】
このように構成されたパチンコ用ひじ掛台においては、可動支柱に設けられたラックと、これに係合する爪、またその調節を行う係止杆によって、ひじ掛板を遊技者にとって好適な高さに調節可能である。
また、使用しないときには、可動板がパチンコ台のテーブル部分の裏面に向かって回動し、この裏面において係止されるので、台上を広く活用することが可能である。
【０００８】
また特許文献３には、名称を「パチンコ遊戯機用腕支受け具及び腕受け装置」として、同じくパチンコをするときに遊技者がハンドルを持つ側の腕を置いて使用する装置に関する考案が開示されている。
当該考案においては、弾性材よりなる四角形の支持部材と、この支持部材の底面部に接する保持体、この保持体の底面部に接する挟持機構より構成される。
この挟持機構については、バネの反発力を用いて台を咬合するもの、あるいは断面コの字型の取付部材を台に嵌め込み、取付け部材の下部からネジを螺合して挟持するものである。
【０００９】
このように構成された当該の腕支受け具及び腕受け装置においては、遊支持部材が遊技者の手首から肘にかけての腕を支えるため、ハンドルを握ることによって起こる疲労を軽減することができるという効果を有する。
また、遊技者によって持ち運びもでき、他店でも使用可能である。
【特許文献１】実開平６−８３０８５号公報
【特許文献２】実開平５−４１５８７号公報
【特許文献３】実用新案登録第３０８１０３６号公報
【発明の開示】
【発明が解決しようとする課題】
【００１０】
しかしながら、上述の特許文献１に開示された考案においては、パチンコ台にひじ掛台が固定されているため、遊技者が他のパチンコ店等に持ち運びをして使用することができない。また、当該ひじ掛台はパチンコ台上に折り畳むことが可能であるが、パチンコ台が過密に並べられて一人当たりのスペースが小さい場合には、台上にこのひじ掛台があると玉の入ったケースや遊技者の腕に接して邪魔になる。
また当該ひじ掛台を折り畳むには、「まずネジ３７を弛めてひじ掛本体３５の高さが一番下になるまで下げる。そしてひじ掛本体３５を前側に回転させ倒立させ、固定ピン３８から係止部３５ａが外れるように、長穴３５ｂをずらしながらひじ掛本体３５を回転して支柱３２と当接させて折り畳む。そして支柱３２を前方へ回転させて取付台３１に当接するまで倒す」と説明されるように、手順が煩雑であり、手間と時間を要するという課題がある。
さらに部品点数が多いため、製造コストが高くなるという課題もある。
【００１１】
特許文献２に開示された考案においては、蝶番によって連結された可動板と可動板上に設けられた固定支柱やひじ掛板をパチンコ台のテーブル裏面に回動可能であるので、台上をより広く使うことができるが、他のパチンコ台との間が過密で、一人当たりのスペースが小さい場合、テーブルの裏に折り畳んだひじ掛台が遊技者の腹や脚に触れ、不快に感じられる可能性がある。
また、当該ひじ掛も特許文献１と同じく取り外して他の台に設置することが不可能である。
【００１２】
さらに、特許文献３に開示された発明においては、当該の装置は移動可能であるが、個々の遊技者に好適な高さに調節することができない。
以上、本発明が解決しようとする課題は、肘を置くための台および装置がパチンコ台に固定されているため、遊技者の希望する場所に設置できない点、また設置が煩雑である点、その肘掛台あるいは装置を折り畳む際に時間や手間がかかり、しかも場所を取る点、さらにはそれらは部品点数が多く、製造や組立てにコストを生じる点である。
【課題を解決するための手段】
【００１３】
本発明の肘置き装置においては、上述の課題を解決するため、パチンコ台テーブルに取り付け可能な肘置き装置において、遊技者の肘を置く肘置き部と、この肘置き部を上下に高さ調節して固定可能な位置調節部と、この位置調節部を回動可能に軸支する支持部と、パチンコ台テーブルに着脱可能にコの字状又はＵ字状に形成される装着部とを有し、支持部はコの字状又はＵ字状の装着部の下面に設置されることを特徴とするものである。
【００１４】
上記構成の肘置き装置においては、肘置き部がパチンコ遊技者のハンドルを握る腕を支え、位置調節部が肘置き部を遊技者に好適な高さに調節、固定するという作用を有する。
また、コの字状又はＵ字状の装着部はパチンコ台の前に設置される水平テーブルを挟み込むように設置され、当該肘置き装置全体の荷重を支えるという作用を有する。さらに支持部は位置調節部を軸支し、肘置き部および位置調節部をパチンコ台のテーブル裏面まで回動させるため、不使用時には本肘置き装置はパチンコ台テーブル下側に収納され、テーブル上に全く露出しないという作用を有する。
【００１５】
請求項２に記載の発明である肘置き装置は、支持部の底面に位置調節部を掛止可能な掛止部を備えることを特徴とするものである。
上記構成の肘置き装置においては、位置調節部をパチンコ台のテーブル裏面まで回動した位置調節部および肘置き部を掛止して、肘置き部や位置調節部がテーブル下面で垂れ下がることを防止するという作用を有する。
【００１６】
請求項３に記載の発明である肘置き装置は、装着部に板バネを備えることを特徴とするものである。
上記構成の肘置き装置においては、板バネがパチンコ台テーブルと接して付勢するため安定した取付け状態を維持することができる。特に、装着部の内高よりもパチンコ台の厚みが薄かった場合に有効である。
【発明の効果】
【００１７】
本発明の肘置き装置は、位置調節部を上下にスライドさせて、遊技者に好適な高さに位置調節部を調節可能である。これにより遊技者の身長などに応じて好適な肘置きの位置を確保して、疲労を軽減させパチンコを長時間継続して楽しむことが可能である。
また、装着部は着脱可能であるため、遊技者が当該装置を持ち運んで任意の台で使用することができる。従って、パチンコ店経営者は、全台に設置する必要がなく遊技者に貸し出すようにして導入コストの削減を図ることができる。さらに、チェーン店などを展開するホールであれば、チェーン店間で融通を図ることができ、さらにコストの削減を図ることも可能である。
さらに、位置調節部はパチンコ台テーブルの裏面に回動させ、掛止部によって掛止可能であるため、当該の装置を使用しないときにはパチンコ台テーブルの裏面側に収納可能であり、遊技者の邪魔になって不快感を生じさせることがない。
また、板バネの付勢によって装着部がパチンコ台テーブルをより強く挟むためパチンコ遊技者の肘の重さやその他の力がかかっても安定して肘置きの機能を発揮することができる。
加えて、構成部材がシンプルであるため、製造においても組み立てにおいてもコストを削減することが可能である。
【発明を実施するための最良の形態】
【００１８】
以下に本発明の第１の実施の形態に係る肘置き装置を、図１乃至図３に基づき説明する。（特に、請求項１および請求項２に対応）
図１は本発明の第１の実施の形態に係る肘置き装置の外形図である。肘置き装置１は、肘置き部３と、肘置き部３の下部に設けられ肘置き部の位置を調節するための位置調節部２と、位置調節部２を回動可能に軸支する支持部１１と、この支持部１１をその下面に設置してパチンコ台のテーブル（図示せず）を挟み込んで肘置き装置１を固定するパチンコ台装着部１０とを備えるものである。
また、位置調節部２は、肘置き部３の下面側に当接させる固定板４と、この固定板４を肘置き部３に固定するための止め具５ａと、肘置き部３及び固定板４を支持しながら肘置き部３の高さを調整可能とする可動シャフト６と、可動シャフト６の位置を調節して固定する高さ調節ネジ８と、スリーブ９とその上部に備えられて高さ調節ネジ８と共に可動シャフト６を固定するカバー７を含むものである。止め具５ａは固定板４と肘置き部３、可動シャフト６と固定板４とを固定するものである。可動シャフト６は上下にスライド可能であり、カバー７とスリーブ９に挿通されている。カバー７に設けられた高さ調節ネジ８を締めることで、可動シャフト６の任意の位置に固定することが可能である。
パチンコ台装着部１０は止め具５ｂによって支持部１１に固定される。また支持部１１はその底面に掛止部１２を備えており、図では起立しているスリーブ９あるいは可動シャフト６を、支持部１１周りに座金１３とネジ１４を軸として回動させてパチンコ台装着部１０の下面側に収容した際には掛止することができ、スリーブ９や可動シャフト６及び肘置き部３が垂れ下がるのを防止することができる。
なお、本発明の肘置き装置の詳細な構成は、図２を用いて後述する。
【００１９】
図において肘置き部３は四角形であるが、円または楕円形などのカーブを備えるものであってもよく、平面の形状は限定されるものではない。また、肘や腕のカーブに沿うように立体的に湾曲しているものであってもよい。さらに肘置き部３の素材は、皮膚に対して害を及ぼすような材料以外であれば、木材、プラスチック、金属など適宜選択可能であって限定されるものではない。またこれらを土台として、肘置き部３の上部にポリウレタン、スポンジなどの弾性体を貼り付けたり、このように弾性を持つ素材を布や皮や合成樹脂などでカバーして構成してもよい。
また、パチンコ台装着部１０においても、金属あるいはプラスチックなどの剛性とある程度の弾性を備える材質によって構成され、遊技者やパチンコ台に触れたときに傷を付けることなく安全であるように、コの字状あるいはＵ字状の板材の端部の角部分を丸くすることにしてもよい。さらに、パチンコ台装着部１０をパチンコ台に装着した際に、パチンコ台とパチンコ台装着部１０の上面との段差を少なくするためにコの字状あるいは板材のＵ字状の端部の厚みを曲部の厚みよりも薄く設けてもよい。
加えて、図においては肘置き部３と固定板４、固定板４と可動シャフト６は複数の止め具５ａによって固定されているが、接着剤や熱を用いて圧着するものであってもよく、さらに固定板４を用いず、肘置き部３と可動シャフト６とを直接接着するものであってもよい。
同様にパチンコ台装着部１０と支持部１１とを止め具５ｂによって固定し、支持部１１と掛止部１２を止め具５ｃによって固定しているが、これらも他の手段によって固定可能であることは言うまでもない。
【００２０】
このように構成された肘置き装置１においては、肘置き部３が遊技者の肘を支えて、疲労を軽減するという作用を有する。また可動シャフト６が上下にスライドし、遊技者の肘の高さに調節可能である。さらに高さ調節ネジ８を締めることによってその位置を固定し、また遊技者が肘置き部３に腕や肘を置くことで生じる荷重を保持することが可能である。
また、パチンコ台装着部１０はパチンコ台（図示せず）に係合し、密着するので肘置き装置１が容易に外れることがなく、当該装置が遊技者の邪魔になることがない。
【００２１】
図２は本発明の第１の実施の形態に係る肘置き装置の構造を示す外形図である。なお、図１に示される部分と同一部分には同一符号を付し、その構成の説明は省略する。
可動シャフト６は等間隔に複数の高さ調節穴６ａを備えている。またカバー７は高さ調節ネジ８を挿通させるための孔部を備えている。スリーブ９はネジ１４を挿通させるためのスリーブ孔９ａを設けている。
支持部１１はスペーサー１５およびスリーブ９を嵌入させるため、凹型の切り欠き部を備えるものである。また、支持部１１は前述のとおり掛止部１２を備える。支持部１１においてネジ１４によってスリーブ９を連結する際には、スリーブ孔９ａを挟んで２つの中空のスペーサー１５を用い、支持部１１の凹部に嵌入させる。この状態において、支持部１１の外側から座金１３を挿通させながらネジ１４をナット（図示せず）に螺合させるものである。
なお、図２においては、可動シャフト６に複数の高さ調節穴６ａを設けているが、可動シャフト６の長手方向にスリットを設け、高さ調節ネジ８によって固定する構成のものとしてもよい。また、この他の位置調節手段を用いてもよく、限定されるものではない。
【００２２】
このように構成された位置調節部２においては、高さ調節穴６ａが位置調節における位置ガイドとなり、調節をより容易にするという作用を有する。
【００２３】
図３は本発明の第１の実施の形態に係る肘置き装置の底面図である。なお、図１に示される部分と同一部分には同一符号を付し、その構成の説明は省略する。
支持部１１はパチンコ台装着部１０に固定されており、スリーブ９はその両側のスペーサー１５とともに、ネジ１４によって回動可能に支持されている。また支持部１１は掛止部１２を備え、止め具５ｃによって固定されている。
なお図においては、スペーサー１５をスリーブ９のスリーブ孔９ａの両側に２つ用いているが、片側の１つだけでもよく、構造上不必要なら使用しなくともよい。また、ネジ１４を用いてスリーブ９の固定を行っているが、支持部１１に貫通孔を設け、ネジ１４に代えてボルトを挿通してもよいし、またこの他の手段を用いてよい。
このように構成された肘置き装置においては、スペーサー１５を用いることで位置調節部２の位置がずれたりがたついたりすることを防ぎ、常に安定した状態に保てるという作用を有する。
【００２４】
次に、図４を用いて本発明の第２の実施の形態に係る肘置き装置のパチンコ台装着部について説明する。（特に、請求項３に対応）
（ａ）は本発明の第１の実施の形態に係る肘置き装置のパチンコ台装着部のその他の例を示す外形図であり、（ｂ）は本発明の第２の実施の形態に係る肘置き装置のパチンコ台装着部の外形図である。
（ａ）におけるパチンコ台装着部１６は、図１に示すパチンコ台装着部１０よりもその装着部分の長さを短く変えたものである。
（ｂ）におけるパチンコ台装着部１７は、その中間部分に板バネ１８を設けたものである。
なお板バネ１８においては、パチンコ台装着部１７に一体に設けられてもよいが、製造を容易にするためには板バネ１８をパチンコ台装着部１７の奥側に溶接するなどして取り付けるとよい。また、板バネの形状や取付け位置等は特に限定されるものではない。
【００２５】
このように構成された肘置き装置においては、パチンコ台テーブル（図示せず）の奥行きが短い場合においても取り付けが可能である。
さらに板バネ１８を備えることによって、パチンコ台テーブルをより強く挟み込むことが可能であるため、より強固に肘置き装置を固定することができる。さらに、パチンコ台装着部１７の内高よりもパチンコ台テーブルの厚みが薄い場合においても板バネ１８が付勢するため、パチンコ台テーブルにパチンコ台装着部１７がより強く固定されるため、肘置き装置１を安定した状態で装着、使用することが可能である。
【００２６】
図５は本発明の実施の形態に係る肘置き装置肘置の可動シャフト６およびカバー７の縦断面図である。（ａ）は本発明の実施の形態に係る肘置き装置の高さ調節部分の縦断面図であり、（ｂ）および（ｃ）は高さ調節部分のその他の例を示す縦断面図である。なお、図１に示される部分と同一部分には同一符号を付し、その構成の説明は省略する。
（ａ）における可動シャフト６は、その長手方向に沿って複数の高さ調節穴６ａを有する。また、可動シャフト６はスリーブ９内部の片方の壁面に接している。可動シャフト６の位置固定を行う場合、可動シャフト６を所望の位置に設定し、カバー７およびスリーブ９に設けられた孔部に高さ調節ネジ８を螺入しながら、所望の高さ調節穴６ａに係合させ、高さ調節ネジ８の締め付けを行う。
（ｂ）における可動シャフト１９は、その長手方向に２列の高さ調節穴１９ａを設けるものである。カバー２０およびスリーブ２２には２つの位置調節ピン２１を挿通させるための孔部が設けられている。
なお、位置調節ピン２１はバネなどの力によって可動シャフト１９の所望の位置の高さ調節穴１９ａに係合し、位置を固定するものである。
（ｃ）における可動シャフト２３は中空であって、その内部にロックピン収納部２４およびこれに収納されたバネ２５、バネ２５に接続されたロックピン２６を備えるものである。また、スリーブ２７はロックピン２６を挿通するための複数のロックピン孔２７ａを有する。可動シャフト２３は上下にスライド可能であり、所望の位置のロックピン孔２７ａにロックピン２６を挿通させるものである。ロックピン２６を強く押した状態で可動シャフト２３を上下させて所望の位置のロックピン孔２７ａにロックピン２６を挿通させて可動シャフトの位置決めを行う。
【００２７】
（ａ）における可動シャフト６およびカバー７の構成によると、高さ調節ネジ８の螺入による押圧によって、強固な固定力を発揮する。また、カバー７がスリーブ９の上面を覆うカバーとなるため、スリーブ９内部にゴミやほこりが入り込むことを防ぐことができる。
また（ｂ）における構成によっても、（ａ）と同様の効果を得ることができるが、位置調節ピンが２本備えられているためより確実に可動シャフト１９を固定することができる。
さらに（ｃ）の構成によると、ロックピン２６を指で押圧して可動シャフト２３を上下させることによって位置調節が可能であるため、調節が容易である。
【００２８】
最後に、図６を用いて本発明の肘置き装置の使用方法を説明する。図６は本発明の実施の形態に係る肘置き装置の使用方法を示す外形図である。なお、図１に示される部分と同一部分には同一符号を付し、その構成の説明は省略する。
パチンコ台２８は遊技者側前方にパチンコ台テーブル２８ａを備えており、遊技者は、このパチンコ台テーブル２８ａの上にパチンコ玉のケースを置いて、パチンコ玉を打つためのハンドル２９を廻して遊技する。
そして、遊技者が肘置き装置１を使用する際には、まず遊技者が椅子に座った状態において最も使用に適した位置にパチンコ台装着部１０を装着する。次いで、高さ調節ネジ８を緩め、遊技者がハンドル２９を握るのに好適な高さ位置まで可動シャフト６スライドさせ、再び高さ調節ネジ８を締め付けて固定を行う。
この肘置き装置１を使用しない場合には、位置調節部２を遊技者手前に回動させ、位置調節部２を掛止部１２に掛止させればよい。位置調節部２は図中にφで示すように、ネジ１４を軸として約２７０度回転し、図中に点線で示す位置で固定されるものである。なお、本実施の形態においては、掛止部１２には可動シャフト６が掛止されているが、スリーブ９を掛止するものであってもよい。
【００２９】
このような構成による肘置き装置１においては、従来の装置を折り畳んで収容しようとした場合に、ネジなどの関節部分を緩めたり、肘を置く部分を予め回転させるなどしなくてはならなかったのに対し、単に位置調節部２部分を回転させるだけで収納可能である。またこれによって肘置き装置１がパチンコ台２８上において、パチンコ玉の入ったケースや、遊技者のかばんやその他の持ち物を置くのに障害となることがない。さらにパチンコ台２８のテーブル裏面においても装置が小型であるので、遊技者の邪魔になることがない。
【産業上の利用可能性】
【００３０】
本発明によると、本発明の肘置き装置をパチンコ店側が設置することによって、長時間パチンコを行うことによって起こる顧客の疲労を軽減させることが可能である。そのため、身体に負担のかかりやすいお年寄り等に対してもパチンコの娯楽を提供することが可能である。
【図面の簡単な説明】
【００３１】
【図１】本発明の第１の実施の形態に係る肘置き装置の外形図である。
【図２】本発明の実施の第１の形態に係る肘置き装置の構造を示す外形図である。
【図３】本発明の実施の第１の形態に係る肘置き装置の底面図である。
【図４】（ａ）は本発明の第１の実施の形態に係る肘置き装置のパチンコ台装着部１０のその他の例を示す外形図であり、（ｂ）は本発明の第２の実施の形態に係る肘置き装置のパチンコ台装着部の外形図である。
【図５】（ａ）は本発明の実施の形態に係る肘置き装置の高さ調節部分の縦断面図であり、（ｂ）および（ｃ）は高さ調節部分のその他の例を示す縦断面図である。
【図６】本発明の実施の形態に係る肘置き装置の使用方法を示す外形図である。
【図７】肘置き装置の従来例を示す外形図である。
【符号の説明】
【００３２】
１…肘置き装置  ２…位置調節部  ３…肘置き部  ４…固定板  ５ａ〜５ｃ…止め具  ６…可動シャフト  ６ａ…高さ調節穴  ７…カバー  ８…高さ調節ネジ  ９…スリーブ  ９ａ…スリーブ孔  １０…パチンコ台装着部  １１…支持部  １２…掛止部  １３…座金  １４…ネジ  １５…スペーサー  １６…パチンコ台装着部  １７…パチンコ台装着部  １８…板バネ  １９…可動シャフト  １９ａ…高さ調節穴  ２０…カバー  ２１…位置調節ピン  ２２…スリーブ  ２３…可動シャフト  ２４…ロックピン収納部  ２５…バネ  ２６…ロックピン  ２７…スリーブ  ２７ａ…ロックピン孔  ２８…パチンコ台  ２８ａ…パチンコ台テーブル  ２９…ハンドル  ３０…折り畳み可能なパチンコ用ひじ掛台  ３１…取付台  ３２…支柱  ３２ａ…溝  ３３…可動筒  ３４…軸受金具  ３５…ひじ掛本体  ３５ａ…係止部  ３５ｂ…長穴  ３６…ストッパーピン  ３７…ネジ  ３８…固定ピン  ３９…上軸  ４０…クッション  φ…位置調節部の回動角度
【図１】
2005080826.tif 000003
【図２】
2005080826.tif 000004
【図３】
2005080826.tif 000005
【図４】
2005080826.tif 000006
【図５】
2005080826.tif 000007
【図６】
2005080826.tif 000008
【図７】
2005080826.tif 000009